(57)【要約】【課題】この考案は、綿棒や化粧用コットン等の被収納物を多数収納しうるミラー付き容器に関する。【解決手段】綿棒や化粧用コットン等の被収納物を多数収納しうる中空状の収納ケース部と、該収納ケース部の側壁面の少なくとも一個所に扁平に形成された広面部と、該広面部上に固定されたミラー部とからなっており、前記収納ケース部を嵌合可能な間隔に設定された左右一対のアーム部と、該アーム部を支持する台部とからなるスタンド部を設けることで、前記ミラー部を傾けて使用することが可能となることを特徴とする。【選択図】  図４
0003111452.tif 000002
【実用新案登録請求の範囲】
【請求項１】
綿棒や化粧用コットン等の被収納物を多数収納しうる中空状の収納ケース部と、
該収納ケース部の側壁面の少なくとも一個所に扁平に形成された広面部と、
該広面部上に固定されたミラー部とからなっていることを特徴とするミラー付き容器。
【請求項２】
収納ケース部の開口に開閉可能な蓋部を有していることを特徴とする請求項１に記載のミラー付き容器。
【請求項３】
蓋部が、収納ケース部の開口部分にヒンジを介して開閉可能に連結されていることを特徴とする請求項２に記載のミラー付き容器。
【請求項４】
収納ケース部を嵌合可能な間隔に設定された左右一対のアーム部と、該アーム部を支持する台部とからなるスタンド部を設け、
ミラー部を正面とした収納ケース部の左右両側壁と、前記左右一対のアーム部の先端側とに、一方に枢軸を突設し他方に該枢軸を枢動可能に受ける凹部または孔からなる受部を形成し、前記枢軸を受部に嵌合して枢動可能に枢着してなることを特徴とする請求項１、２または３に記載のミラー付き容器。
【請求項５】
収納ケース部の側壁またはスタンド部のアーム先端に設けられた枢軸を中心とする同心円上に、複数の補助凹部または１もしくは複数の補助突部を形成し、
スタンド部のアーム先端または収納ケース部の側壁に設けられた受部を中心とする同心円上に前記補助凹部または補助突部に対応して嵌脱可能な１もしくは複数の補助突部または複数の補助凹部を形成してなり、
前記突部が受部に枢着され前記突部を支点として収納ケース部がスタンド部に支持されて枢動する際に、前記補助突部と補助凹部とが所定角度毎に嵌合して前記収納ケース部を所望の傾斜角度に保持しうることを特徴とする請求項１から４に記載のいずれかのミラー付き容器。
【請求項６】
補助凹部が、枢軸を中心とする同心円上または受部を中心とする同心円上で、等間隔に複数形成されていることを特徴とする請求項５に記載のいずれかのミラー付き容器。
【請求項７】
ミラー部が、上下または左右に開く折畳式三面鏡からなっていることを特徴とする請求項１から６のいずれかに記載のミラー付き容器。
【請求項８】
ミラー部の全部または一部が拡大鏡からなることを特徴とする請求項１から７のいずれかに記載のミラー付き容器。
【考案の詳細な説明】
【技術分野】
【０００１】
本考案は、綿棒や化粧用コットン等の被収納物を多数収納しうるミラー付き容器に関するものである。
【背景技術】
【０００２】
従来、この種の容器は、単に綿棒や化粧用コットン等の被収納物を収納するだけであった。
一方、コンパクトなどの化粧品用具では、扉の内面にミラーを取り付けたものなどが知られているが、収納容器にミラーは取り付けられていなかった。
そのため、綿棒やコットンなどを使用する場合には、別途ミラーや手鏡を用意して使用する必要があった。
一方、鏡付ケ―スとして、特開２０００−１８９２４１号公報には、内部鏡を備えた蓋と、化粧品を収納するための受皿を有する底部と、底部に対して蓋の相対的回転を可能にする蝶番とから成り、内部鏡の保護用の扉と、扉が蓋の回転によって作動可能になるための手段であって、ケースが開かれたときに使用位置に内部鏡から側面方向に離れ、蓋が閉じたときに保護位置に復帰する構成が知られている。
しかし、構成が複雑となり、簡易な容器に応用することはできない。
【特許文献１】特開２０００−１８９２４１号公報
【考案の開示】
【考案が解決しようとする課題】
【０００３】
この考案は上記事情に鑑みて創案されたものであって、その主たる課題は、綿棒や化粧用コットン等の容器でありながら壁面にミラーを有するミラー付き容器を提供することにある。
【課題を解決するための手段】
【０００４】
この考案は、上記課題を解決するために、請求項１の考案では、
綿棒や化粧用コットン等の被収納物を多数収納しうる中空状の収納ケース部と、
該収納ケース部の側壁面の少なくとも一個所に扁平に形成された広面部と、
該広面部上に固定されたミラー部とからなっていることを特徴とする。
請求項２の考案では、
前記収納ケース部の開口に開閉可能な蓋部を有していることを特徴とする。
請求項３の考案では、
前記蓋部が、収納ケース部の開口部分にヒンジを介して開閉可能に連結されていることを特徴とする。
また、請求項４の考案では、
前記収納ケース部を嵌合可能な間隔に設定された左右一対のアーム部と、該アーム部を支持する台部とからなるスタンド部を設け、
ミラー部を正面とした収納ケース部の左右両側壁と、前記左右一対のアーム部の先端側とに、一方に枢軸を突設し他方に該枢軸を枢動可能に受ける凹部または孔からなる受部を形成し、前記枢軸を受部に嵌合して枢動可能に枢着してなることを特徴とする。
また、請求項５の考案では、
前記収納ケース部の側壁またはスタンド部のアーム先端に設けられた枢軸を中心とする同心円上に、複数の補助凹部または１もしくは複数の補助突部を形成し、
スタンド部のアーム先端または収納ケース部の側壁に設けられた受部を中心とする同心円上に前記補助凹部または補助突部に対応して嵌脱可能な１もしくは複数の補助突部または複数の補助凹部を形成してなり、
前記突部が受部に枢着され前記突部を支点として収納ケース部がスタンド部に支持されて枢動する際に、前記補助突部と補助凹部とが所定角度毎に嵌合して前記収納ケース部を所望の傾斜角度に保持しうることを特徴とする。
更に、請求項６の考案では、
前記補助凹部が、枢軸を中心とする同心円上または受部を中心とする同心円上で、等間隔に複数形成されていることを特徴とする。
また、請求項７の考案では、
前記ミラー部が、上下または左右に開く折畳式三面鏡からなっていることを特徴とする。
また、請求項８の考案では、
前記ミラー部の全部または１部が拡大鏡からなることを特徴とする。
【考案の効果】
【０００５】
この考案のミラー付き容器は、収納ケース部にミラーを設けたので、綿棒や化粧用コットン等を使用する際に、使用者はミラーを見ながら使用することができ利便性が高い。
また、スタンドを設けて収納ケース部を傾動することができれば、使用者は一層見やすくなって好ましい。
また、ミラー部を三面鏡とすれば、像を映す範囲を拡大することができる。
更に、ミラーが拡大鏡であれば部分的に拡大して見ることができる。
【考案を実施するための最良の形態】
【０００６】
この考案では、中空状の収納ケース部の少なくとも一個所を扁平にして広面部を形成し、該広面部上にミラー部を形成することで、被収納物の使用時にミラーに映して使用するという目的を、実現した。
【実施例１】
【０００７】
図１は、ミラー付き容器１の実施例１を示す。
この容器１は、被収納物として本実施例では綿棒Ｓを多数縦向きに収納しうる中空状の収納ケース部２と、該収納ケース部２の１周壁面に扁平に形成された広面部３と、該広面部３上に固定されたミラー部４とからなっている。
【０００８】
収納ケース部２は、扁平な前壁面２１に対して、同様に扁平な左右側壁面２２、２３を直角に配し、該左右側壁面２２、２３間を繋ぐ背壁面２４を湾曲面とした筒状の周壁を有しており、底面は底壁２５で一体に塞がれている。
また、上端が開放されて口部２０が開放されており、図示例では、蓋部５が別  となって、前記口部２０に外嵌されて開閉自在に取り付けられる。
【０００９】
そして、広面部３としての上記前壁面２１に凹部が形成されており板状の鏡が嵌合固着されてミラー部４となり、表面が前壁面２１と同一面状に設定されている。
この前記収納ケース部２内には多数の綿棒Ｓが縦向きに収納されている。
上記構成からなっているので、使用者は収納ケース部２から綿棒Ｓを取り出し、前記ミラー部４を見ながら綿棒Ｓを使用することができる。
【実施例２】
【００１０】
図２は、ミラー付き容器１の蓋部５の異なる実施例２を示す。
この実施例では、蓋部５が、収納ケース部２の口部側でヒンジ部６を介して開閉自在に取り付けられている。
このヒンジ部６は、図示例の場合、蓋部５と収納ケース部２の間に公知の蝶番構造を設けた構造としたが、プラスチックにＶ溝またはＵ溝を設け、該溝を屈曲線として折り曲げ自在な構成としてもよい。
【００１１】
前記実施例では、その他の構成は前記実施例１と同様なので、同一構成には同一符号を付してその説明を省略する。
これにより、蓋部５は収納ケース部２から分離することが無いので、蓋部５を紛失することがない。
【実施例３】
【００１２】
図３は、ミラー付き容器１の蓋部５の異なる実施例３を示す。
この実施例では、蓋部５に代えて収納ケース部２の上面を上壁部２６で一体的に覆っており、一部に被収納物の出入用の孔からなる出入口２７が形成されている。
この出入口２７は、単なる開口でもよいし、開閉可能な蓋（図示せず）を設けてもよい。
その他の構成は前記実施例と同様である。
【実施例４】
【００１３】
図４は、この考案のミラー付き容器１の実施例４を示す。
この実施例では、収納ケース部２をスタンド部７で支持し、収納ケース部２を傾動可能としている。
即ち、スタンド部７は、平面視略Ｕ字状の周壁からなる台部９と、該台部９上に立設する左右一対のアーム部８、８とからなっている。
【００１４】
台部９は、左右の側壁９ａ、９ｂの先端側の上面を横架片９ｃで一連につないでおり、背壁９ｄは湾曲面となっている。
また、該アーム部８、８では、アーム部間の間隔が前記収納ケース部２を嵌合しうる間隔に設定されている。
【００１５】
そして、ミラー部４を正面とした収納ケース部２の左右側壁面２２、２３の中央部２ａと、前記左右一対のアーム部８の先端部８ａとに、一方に枢軸１０を突設し他方に該枢軸１０を枢動可能に受ける凹部または孔からなる受部１１を形成している。
図示例では、収納ケース部２の側壁面２２、２３に、上端から前記中央部２ａに向かって略扇状に延びる隆起部Ｒ１を形成しており、該隆起部Ｒ１の下端に略円形状の中央部２ａが形成されており、その中心に受部１１が形成されている。
【００１６】
一方、枢軸１０は、アーム部８の先端部８ａに内向きに突設されており、凹部に形成された受部１１が収納ケース部２の左右側壁面２２、２３の中央部２ａに凹設されており、前記枢軸１０を受部１１に嵌合して、収納ケース部２を枢動可能にスタンド部７に枢着している。
【００１７】
従って、使用者は、収納ケース部２を所望の角度に傾けて、片手でおさえ、あるいは他のもので傾斜角度を維持しながら綿棒Ｓを使用することができる。
その他の構成は前記実施例１と同様なので、同一構成には同一符号を付してその説明を省略する。
【００１８】
これにより、ミラー部４の角度を最適の角度にして、使用することができる。
なお、この考案では、上記実施例に代えてアーム部８の先端部８ａに受部１１を設け、収納ケース部２の左右側壁面２２、２３の中央部２ｂに枢軸１０を外向きに突設する構成であってもよい。
【実施例５】
【００１９】
図５は、この考案のミラー付き容器１の実施例５を示す。
このミラー付き容器１では、収納ケース部２を枢動した際に、その傾斜姿勢を段階的に拘束することができる手段を設けている。
【００２０】
即ち、図６（ｂ）に示すように、スタンド部７に設けたアーム部８の先端部８ａに形成された枢軸１０を中心として、その同心円上に、１または複数（図示例では２個所）の補助突部１２を設ける。
一方、収納ケース部２の側壁面２２，２３の中央部２ｂには、図６（ａ）に示すように、受部１１を中心とする同心円上に、前記補助突部１２に対応して嵌脱可能な補助凹部１３を等間隔に複数（図示例では８個）形成している。
【００２１】
そして、前記補助突部１２は、前記枢軸１０よりもその突出長を短く設定し、補助凹部１３も受部１１より浅く設定しており、収納ケース部２を強く傾動方向に押すことで補助突部１２は補助凹部１３の係合を脱して次の補助凹部１３と係合するように形成している（図６（ｃ）参照）。
図示例の場合、収納ケース部２を４５度間隔で傾動させることができる。
従って、補助凹部１３の数を増やすことで、傾動角度を狭め多段階に傾斜させることが可能となる。
【００２２】
また、本実施例では図５の仮想線で示すように、収納ケース部２が略水平に傾動すると、収納ケース部２の背壁面が台部９の後壁９ｄに衝合して、収納ケース部２のそれ以上の傾動を拘束することができる。
また、収納ケース部２をこの姿勢とすることで、口部が横向きに支持されるので、綿棒Ｓの取り出しを容易にすることもできる。
【００２３】
前記実施例では、枢軸１０を中心として同心円上に補助突部１２を設けたが、これに代えて複数の補助凹部１３を等間隔に配置し、受部１１を中心として同心円上に補助突部１２を１または複数設ける構成であってもよい。
また、前記枢軸１０は収納ケース部２の中央部２ｂに設け、受部１１はアーム部８の先端部８ａに設けたものであってもよい。
その他の構成は前記実施例３に準じるのでその説明を省略する。
【００２４】
なお、前記実施例５では、凹凸の係合でミラー部を有する収納ケース部２を段階的に傾動させる構成を示したが、例えば図７（ａ）に示すように補助凹部に代えて放射状に多数の溝１３’を形成しておき、補助突部に代えて上記溝１３’に係合する爪片１２’（図７（ｂ）参照）を設けておき、更に細かいピッチで段階的に係合する構造としてもよい（図７（ｃ）参照）。
【実施例６】
【００２５】
図８は、この考案のミラー付き容器１の実施例６を示す。
この実施例では、ミラー部４が、三面鏡からなっている。
即ち、ミラー部４は、収納ケース部２の前壁面に中央ミラー部４ａが形成され、その左右両端側に内面がミラー面となる左右ミラー部４ｂ、４ｃを開閉自在に枢着している。
【００２６】
これにより左右ミラー部４ｂ、４ｃを開くことで、中央ミラー部４ａと共に３面のミラー部を使用することができる。
上記実施例では、三面鏡として中央ミラー部４ａに対して左右に開く場合を例示したが、中央ミラー部４ａの上下に上下ミラー部を設けて上下に開いて三面鏡とする構成であってもよい。
その他の構成は前記実施例に準じるので、その説明を省略する。
【００２７】
前記実施例１〜６のミラー部４は、その鏡の全部または一部を拡大鏡としてもよい。
これにより、使用者は像を拡大して見ることができる。
【００２８】
また、前記実施例５では段階的に収納ケース部を傾動させる例を示したが、この発明では少なくとも所定の範囲で枢着部分に摩擦が働くようにして無段階に収納ケース部を傾動させる構成としてもよい。
また、被収納物として綿棒を例示したが、化粧用コットンその他のものであってもよい。
更に、上記実施例１〜６の構成は、それぞれの一部を互いに組み合わせて用いても良い。
その他、要するにこの考案の要旨を変更しない範囲で種々設計変更しうること勿論である。
【図面の簡単な説明】
【００２９】
【図１】実施例１のミラー付き容器を示す斜視図である。
【図２】実施例２の蓋部を枢着したミラー付き容器を示す斜視図である。
【図３】実施例３の上壁に出入孔を有するミラー付き容器を示す斜視図である。
【図４】実施例４のスタンド部を有するミラー付き容器を示す斜視図である。
【図５】実施例５の段階的に傾動するミラー付き容器を示す側面図である。
【図６】実施例５のミラー部を段階的に傾けるための構造を示す図であって（ａ）は補助凹部を示す要部側面図、（ｂ）は補助突部を示す要部側面図、（ｃ）は両者の係合状態を示す要部断面図である。
【図７】実施例５のミラー部を段階的に傾けるための構造を示す図であって（ａ）は放射状に溝を示す要部側面図、（ｂ）は爪片を示す要部側面図、（ｃ）は両者の係合状態を示す要部断面図である。
【図８】実施例６の三面鏡型のミラー付き容器を示す側面図である。
【符号の説明】
【００３０】
１    ミラー付き容器
２    収納ケース部
２ａ  中央部
３    広面部
４    ミラー部
４ａ  中央ミラー部
４ｂ、４ｃ  左右ミラー部
Ｓ    綿棒
５    蓋部
６    ヒンジ部
７    スタンド部
８    アーム部
８ａ  先端部
９    台部
９ａ、９ｂ  左右の側壁
９ｄ  背壁
１０    枢軸
１１    受部
１２    補助突部
１２’  爪片
１３    補助凹部
１３’  溝
２０    口部
２１    前壁面
２２、２３  左右側壁面
２４    背壁面
２５    底壁
【図１】
0003111452.tif 000003
【図２】
0003111452.tif 000004
【図３】
0003111452.tif 000005
【図４】
0003111452.tif 000006
【図５】
0003111452.tif 000007
【図６】
0003111452.tif 000008
【図７】
0003111452.tif 000009
【図８】
0003111452.tif 000010